(57)【要約】【目的】複数のアウトレットボックスを鉄筋に対し容易且つ迅速にして所定位置に正確に取り付けできるアウトレットボックス取付金具を提供する。【解決手段】金具本体１１は、主体１２と、これの一端側に折曲部１３を介して連設された折曲片１４とからなり、折曲片１４には切欠部１５及びビスねじ込み孔１６を設け、主体１２には、切欠部１７とビス挿通用スリット１８とビスねじ込み用スリット１９とを設け、主体１２を複数の縦筋８ａに当接させ、折曲片１４の切欠部１５と主体１２の切欠部１７とで一つの縦筋８ａを挟み付けてビス２２をビス挿通用スリット１８からビスねじ込み孔１６にねじ込み固定し、主体１２の他端側を他の縦筋８ａに鉄線２３で縛り固定し、主体１２にアウトレットボックス１を当接させてビス２４を主体１２のスリット１９にねじ込む。【選択図】        図３
2004187404.tif 000002
【特許請求の範囲】
【請求項１】
鉄筋コンクリート構造物のコンクリート壁面に開口するように埋め込むアウトレットボックスを鉄筋に取り付けるための取付金具であって、ウェブと両側フランジとからなる溝形材によって形成される金具本体は、横長状の主体と、これの一端側に折曲部を介して連設され、溝部を内向きにして折り曲げられる折曲片とからなり、折曲片にはフランジに切欠部を、ウェブの先端部にビスねじ込み孔を夫々設け、主体のフランジには、折曲片の折り曲げ時にその切欠部と対向する位置に切欠部を設け、ウェブの一端部にビス挿通用スリットを設けると共に、このスリットからウェブの他端部に亘ってビスねじ込み用スリットを設け、而して主体のウェブをコンクリート壁面側に配置された複数の縦筋の前面に当接させ、折り曲げた折曲片の切欠部と主体の切欠部とで一つの縦筋を挟み付けてビスをビス挿通用スリットからビスねじ込み孔にねじ込むことにより主体の一端側を当該縦筋に固定し、主体の他端側を他の縦筋に固定手段で固定し、この主体にアウトレットボックスを当接させてビスを主体のビスねじ込み用スリットにねじ込むようにしたアウトレットボックス取付金具。
【請求項２】
前記固定手段は、前記主体の他端側を他の縦筋に縛って固定する鉄線からなる請求項１に記載のアウトレットボックス取付金具。
【請求項３】
前記切欠部は、フランジをＶ字状に切除して形成されるＶカット部からなる請求項１又は２に記載のアウトレットボックス取付金具。
【請求項４】
前記折曲片は、主体に対して略Ｖ字状に折り曲げられている請求項１〜３の何れかに記載のアウトレットボックス取付金具。
【請求項５】
前記金具本体の主体は、その一端側でフランジがＶ字状に切除されて屈曲可能となっている請求項１〜４の何れかに記載のアウトレットボックス取付金具。
【発明の詳細な説明】
【０００１】
【発明の属する技術分野】
本発明は、鉄筋コンクリート構造物を築造する際に、構造物内の電気設備や空調設備に使用される配線用のアウトレットボックス（ターミナルボックスとも言う）を、配筋された型枠内にコンクリートを打ち込む前に、形成されるコンクリート壁面に開口して埋め込まれるように鉄筋に取り付けるためのアウトレットボックス取付金具に関するものである。
【０００２】
【従来の技術】
図１１は一般に使用されている合成樹脂製のアウトレットボックス１を示し、（Ａ）はアウトレットボックス１を表側より見た斜視図、（Ｂ）は裏側より見た斜視図である。このアウトレットボックス１は、方形枠状の周側壁２と底壁３とからなるもので、周側壁２の各側壁部２ａ及び底壁３には、配線用ホース４の取付口４ａを挿入するための孔を形成する抜き取り可能な孔形成部５が設けられ、また底壁３にはビス挿通孔６が複数設けてある。尚、図には、孔形成部５の一つを抜き取って形成した孔７に配線用ホース４の取付口４ａを挿着した状態を示している。
【０００３】
ところで、このようなアウトレットボックス１を型枠内に配筋される鉄筋に取り付けるのに、従来技術として、公知文献を具体的に挙げることは出来ないが、アウトレットボックス１の底壁３の裏側に、長さが底壁３の一辺の長さの３〜４倍程度の番線を上下方向に２本平行に配して、それらの中央部を底壁３に固定部材を介して固着しておき、そしてコンクリート壁面側に配置された上下に隣合う所要の２本の横筋間にアウトレットボックス１を配置し、上記２本の番線の夫々の上端部側を上側の横筋に縛り付け、その下端部側を下側の横筋に縛り付けるようにしている。
【０００４】
【発明が解決しようとする課題】
上記のようにアウトレットボックスの裏側に固着した番線による取付手段によると、横筋への番線の縛り付け作業に非常に手間がかかって、１個のアウトレットボックスを取り付けるのに相当な時間を要する上に、所定の位置に正確に取り付けることが出来ず、例えば複数個のアウトレットボックスを同じ高さ位置に並べて鉄筋に取り付けようとしても、それら複数のアウトレットボックス間にどうしても段差が生じてしまい、同じ高さ位置に配設することが困難であった。
【０００５】
本発明は、上記の課題に鑑み、アウトレットボックスを鉄筋に対し容易且つ迅速に取り付けできると共に所定位置に正確に取り付けることができるアウトレットボックス取付金具を提供することを目的とする。
【０００６】
【課題を解決するための手段】
請求項１に係る発明のアウトレットボックス取付金具は、鉄筋コンクリート構造物のコンクリート壁面Ｓに開口するように埋め込むアウトレットボックス１を鉄筋に取り付けるための取付金具であって、ウェブａと両側フランジｂ，ｂとからなる溝形材によって形成される金具本体１１は、横長状の主体１２と、これの一端側に折曲部１３を介して連設され、溝部ｃを内向きにして折り曲げられる折曲片１４とからなり、折曲片１４にはフランジｂに切欠部１５を、ウェブａの先端部にビスねじ込み孔１６を夫々設け、主体１２のフランジｂには、折曲片１４の折り曲げ時にその切欠部１５と対向する位置に切欠部１７を設け、ウェブａの一端部にビス挿通用スリット１８を設けると共に、このスリット１８からウェブａの他端部に亘ってビスねじ込み用スリット１９を設け、而して主体１２のウェブａをコンクリート壁面Ｓ側に配置された複数の縦筋８ａの前面に当接させ、折り曲げた折曲片１４の切欠部１５と主体１２の切欠部１７とで一つの縦筋８ａを挟み付けてビス２２をビス挿通用スリット１８からビスねじ込み孔１６にねじ込むことにより主体１２の一端側を当該縦筋８ａに固定し、主体１２の他端側を固定手段２３で他の縦筋８ａに固定し、この主体１２にアウトレットボックス１を当接させてビス２４を主体１２のビスねじ込み用スリット１９にねじ込むようにしたことを特徴とする。
【０００７】
請求項２は、請求項１に記載のアウトレットボックス取付金具において、前記固定手段２３は、前記主体１２の他端側を他の縦筋８ａに縛って固定する鉄線からなることを特徴とする。
【０００８】
請求項３は、請求項１又は２に記載のアウトレットボックス取付金具において、前記切欠部１５，１７は、フランジをＶ字状に切除して形成されるＶカット部からなる。
【０００９】
請求項４は、請求項１〜３の何れかに記載のアウトレットボックス取付金具において、前記折曲片１４は、主体１２に対して略Ｖ字状に折り曲げられていることを特徴とする。
【００１０】
請求項５は、請求項１〜４の何れかに記載のアウトレットボックス取付金具において、前記金具本体１１の主体１２は、その一端側でフランジがＶ字状に切除されて屈曲可能となっていることを特徴とする。
【００１１】
【発明の実施の形態】
図１の（Ａ）は本発明に係るアウトレットボックス取付金具１０を示す正面図、（Ｂ）は平面図、（Ｃ）は背面図であり、図２の（Ａ）は図１の（Ａ）のＸ−Ｘ線拡大断面図、同図の（Ｂ）は（Ａ）のＹ−Ｙ線断面図である。また図３は、この取付金具１０を使用してアウトレットボックス１を鉄筋８に取り付けた状態を正面側から見た図面であり、図４は同取付状態を裏側から見た図面である。
【００１２】
本発明に係るアウトレットボックス取付金具１０は、図１及び図２に示すようにウェブａと両側フランジｂ，ｂとからなる溝形材（チャンネル材）によって形成される金具本体１１を有し、この金具本体１１は、横長状の主体１２と、この主体１２の一端側に折曲部１３を介して一体に連設され、溝形材の溝部ｃを内向きにして折り曲げられる折曲片１４とからなる。尚、この金具本体１１は、図３及び図４に例示するように、アウトレットボックス１を例えば３個取り付けることができる。また、折曲部１３ではフランジｂの部分が切除されている。
【００１３】
金具本体１１の折曲片１４には、図１の（Ｂ）及び図２の（Ａ）から分かるように、溝形材のフランジｂ，ｂの両側対向位置にＶカット部（切欠部）１５，１５が設けられ、またウェブａの先端部にはビスねじ込み孔１６が設けられている。金具本体１１の主体１２にはそのフランジｂ，ｂに、折曲片１４を折り曲げた時にそのＶカット部１５，１５と対向する位置にＶカット部（切欠部）１７，１７が設けられ、またこの主体１２のウェブの一端部にビス挿通用スリット１８が設けられ、そしてこのビス挿通用スリット１８からウェブａの他端部に亘って一定長さのビスねじ込み用スリット１９が一定のピッチで複数設けられている。
【００１４】
また図１の（Ｂ）及び図２の（Ａ）から分かるように、金具本体１１の主体１２は、その一端側で、即ちビス挿通用スリット１８とこれに隣接するビスねじ込み用スリット１９との間に対応する位置でフランジｂ，ｂの部分がＶ字状に切除されてＶカット部２０，２０を形成し、而してこのＶカット部２０，２０に対応する位置２１（スリット１８，１９の中間位置）でウェブａが折曲可能となっている。この位置２１（スリット１８，１９の中間位置）が屈曲部となる。
【００１５】
この実施形態にあっては、金具本体１１の折曲片１４は、図１の（Ｂ）及び図２の（Ａ）に示すように、主体１２に対して予め略Ｖ字状に、例えば２５度程度に折り曲げられているが、このように曲げることなく、主体１２と同一直線状に延ばしたままにしておいて、使用の際に現場で曲げるようにしてもよい。尚、折曲片１４を曲げることなく主体１２と同一直線状に延ばしたままにしておけば、金具本体１１を搬送したり保管する時に嵩張らず、有効である。
【００１６】
上記のような構成の金具本体１１よりなるアウトレットボックス取付金具１０の使用方法について図３〜図１０を参照しながら説明する。
【００１７】
先ず、折曲片１４をＶ字状に折り曲げた金具本体１１を水平状態にして、この金具本体１１の主体１２を、型枠（図示省略）内に配筋される鉄筋８の最前列側、つまり型枠に近い側（コンクリート壁面側）に位置する複数（この場合は、例えば４本とする）の縦筋８ａの前面に当接させ、そして図５の（Ａ）に示すように、Ｖ字状に折り曲げてある折曲片１４を更に折り曲げて、折曲片１４側のＶカット部１５，１５と主体１２側のＶカット部１７，１７とを一つの縦筋８ａの前後両側面に係合させて両Ｖカット部１５，１５、１７，１７で縦筋８ａを挟着した状態で、ビス２２を主体１２の一端側にあるビス挿通用スリット１８から折曲片１４のビスねじ込み孔１６にねじ込んで締め付けることにより、金具本体１１の一端部を縦筋８ａに固定し、図６の（Ａ）に示す状態とする。尚、この金具本体１１の一端部を縦筋８ａに固定する際には、その固定位置（高さ位置）を縦筋８ａに墨等で表示しておく。
【００１８】
こうして金具本体１１の一端部を縦筋８ａに固定したならば、この金具本体１１の水平状態を確認しながら、この金具本体１１の他端部を他の縦筋８ａに対し図５の（Ｂ）及び図７の（Ａ），（Ｂ）に示すように鉄線２３で縛り付けて固定する。この鉄線２３としては、普通の針金の他に、番線（型枠や足場の組立時に結束用として使用される鉄線で、８番，１０番の鉄線）を使用する。これによって、金具本体１１は、主体１２が鉄筋８の最前列側にある複数の縦筋８ａの夫々前面に当接した状態で、一定の高さ位置に水平姿勢に固定される。
【００１９】
尚、この実施形態では、金具本体１１の他端側を他の縦筋８ａに鉄線２３で縛り付けて固定するようにしているが、この固定手段としては、鉄線２３に以外に適当なクランプを使用してもよい。但し、固定手段として鉄線２３を使用すれば、固定作業が簡単容易となる。
【００２０】
こうして金具本体１１を複数の縦筋８ａに対し水平姿勢で当接させて固定した後、この金具本体１１の主体１２の前面に複数個のアウトレットボックス１の夫々背面に当て付け、図３に示すように、これらアウトレットボックス１相互の間隔を予め調整確認した上で、図８の（Ａ），（Ｂ）に示すように、各アウトレットボックス１の底壁３に設けてあるビス挿通孔６からビス２４を挿入して主体１２のビスねじ込み用スリット１９にねじ込み、締め付けることによって、各アウトレットボックス１を主体１２に固定する。これによって、アウトレットボックス１の取付作業を終了する。
【００２１】
上記のようにしてアウトレットボックス１は取付金具１０を介して鉄筋８の縦筋８ａに取り付けられ、そしてこのアウトレットボックス１の前面（開口面）がコンクリート型枠の内側面と面一状になるわけであるが、取り付けられたアウトレットボックス１の前面位置が型枠の内側面位置に対し後退している場合には、コンクリート打ち込み時にアウトレットボックス１内部にコンクリートが入り込むと言う不都合が生じるため、アウトレットボックス１の取付位置を調整する必要がある。
【００２２】
而して、この発明のアウトレットボックス取付金具１０では、前述のように金具本体１１の主体１２がその一端側位置２１（スリット１８，１９の中間位置）で屈曲可能となっていることから、図９に示すように、金具本体１１の一端側の折曲片１４と主体１２を締め付けて縦筋８ａに固定しているビス２２を緩め、また金具本体１１の他端側を縦筋８ａに縛り付けている鉄線２３を緩めた状態で、上記位置（屈曲部）２１のところで主体１２を同図の実線図示から仮想線図示のように屈曲させることにより、主体１２を前方側へ変位させて、アウトレットボックス１の出面位置を簡単に調整することができる。
【００２３】
図１０は、アウトレットボックス１を取付金具１０によって鉄筋８の縦筋８ａに取り付けた後、所定のコンクリート型枠内にコンクリートを打ち込み、コンクリートの固化後に型枠を撤去することによって、アウトレットボックス１がコンクリート壁面Ｓに開口した状態ならびにアウトレットボックス１に接続した配線用ホース４がコンクリート内に埋設した状態を示している。
【００２４】
以上説明したように、本発明のアウトレットボックス取付金具１０によれば、金具本体１１を水平状態にして、主体１２のウェブａを、最前列に配置された複数の縦筋８ａの前面に当接させ、折り曲げた折曲片１４のＶカット部１５，１５と主体１２のＶカット部１７，１７とで一つの縦筋８ａを挟み付けて、主体１２側のビス挿通用スリット１８から折曲片１４側のビスねじ込み孔１６にビス２２をねじ込むことにより主体１２の一端側を縦筋８ａに固定し、主体１２の他端側を他の縦筋８ａに鉄線２３で縛り付けて固定し、この主体１２の前面にアウトレットボックス１を当接させ、ボックス１の底壁３に設けてあるビス挿通孔６からビス２４を主体１２のビスねじ込み用スリット１９にねじ込むようにするから、この取付金具１０を介して、アウトレットボックス１を鉄筋８の縦筋８ａに対して容易且つ迅速にして且つ所定の位置に正確に取り付けることができると共に、特に複数個のアウトレットボックス１を一定の高さ位置に同じレベルに正確に取り付けることができる。
【００２５】
また、金具本体１１の主体１２には、その一端側から他端側に亘ってビスねじ込み用スリット１９が設けられているから、主体１２に対するアウトレットボックス１の取付位置を自由に調整することができる。また、このビスねじ込み用スリット１９は主体１２の一端側から他端側に亘って連続的に形成されたものではなく、一定長さの複数のビスねじ込み用スリット１９が相互に短い間隔で形成されたものであるから、主体１２の強度を弱めることがなく、十分に剛性を維持することができる。
【００２６】
上述の実施形態において、折曲片１４側の切欠部１５及び主体１２側の切欠部１７は、フランジｂをＶ字状に切除して形成されるＶカット部１５，１７としているが、これらは例えば円弧状にカットしたものでもよい。しかしながら、Ｖカット部１５，１７を採用すれば、Ｖ字形の楔効果によって縦筋８ａの挟着力、掴持力が強く働いて金具本体１１の一端側を縦筋８ａに確実に固定できると共に、挟み付けられる縦筋８ａの径の大きいもの、小さいものの何れにも適用できる利点がある。
【００２７】
【発明の効果】
請求項１に係る発明のアウトレットボックス取付金具によれば、アウトレットボックスを鉄筋の縦筋に対して容易且つ迅速にして所定位置に正確に取り付けることができると共に、複数個のアウトレットボックスを一定の高さ位置に同じレベルに正確に取り付けることができ、それによってアウトレットボックスの取付作業能率を大幅に向上できる。
【００２８】
請求項２に係る発明のアウトレットボックス取付金具によれば、固定手段が、主体の他端側を他の縦筋に縛って固定する鉄線からなるため、固定作業を簡単容易に行なうことができる。
【００２９】
請求項３に係る発明のアウトレットボックス取付金具によれば、折曲片側の切欠部及び主体側の切欠部が、フランジをＶ字状に切除して形成されるＶカット部からなるため、Ｖ字形の楔効果によって縦筋の挟着力、掴持力が強く働いて金具本体の一端側を縦筋に確実に固定できると共に、挟み付けられる縦筋の径の大きいもの、小さいものの何れにも適用可能となる。
【００３０】
請求項４に係る発明のアウトレットボックス取付金具によれば、金具本体の折曲片が主体に対して略Ｖ字状に折り曲げられているから、現場での折曲片部の折り曲げ作業が簡便となり、作業能率を一層向上できる。
【００３１】
請求項５に係る発明のアウトレットボックス取付金具によれば、金具本体の主体が、その一端側でフランジがＶ字状に切除されて屈曲可能となっているから、この屈曲部のところで主体を屈曲させることにより、主体に取り付けられるアウトレットボックスの出面位置を簡単に調整することができる。
【図面の簡単な説明】
【図１】（Ａ）は本発明に係るアウトレットボックス取付金具の正面図、（Ｂ）は平面図、（Ｃ）は背面図である。
【図２】（Ａ）は図１の（Ａ）のＸ−Ｘ線拡大断面図、（Ｂ）は（Ａ）のＹ−Ｙ線断面図である。
【図３】本発明の取付金具を使用してアウトレットボックスを鉄筋に取り付けた状態を正面側から見た図面である。
【図４】同上の取付状態を裏側から見た図面である。
【図５】（Ａ）は金具本体の一端側（折曲片側）を一つの縦筋に固定している状態を示す斜視図、（Ｂ）は金具本体の他端側を他の縦筋に固定している状態を示す斜視図である。
【図６】（Ａ）は金具本体の一端側（折曲片側）を一つの縦筋に固定した状態の平面図、（Ｂ）は（Ａ）のＶ−Ｖ線断面図である。
【図７】（Ａ）は金具本体の他端側を他の縦筋に固定した状態の平面図、（Ｂ）は（Ａ）のＷ−Ｗ線断面図である。
【図８】（Ａ）はアウトレットボックスを金具本体の主体に取り付けた状態の平面図、（Ｂ）は（Ａ）のＺ−Ｚ線断面図である。
【図９】主体の一端側に設けた屈曲部を利用して主体と折曲片とを互いに屈曲させ、アウトレットボックスの出面調整をしている状態を示す平面図である。
【図１０】アウトレットボックスがコンクリート壁面に開口した状態ならびにアウトレットボックスに接続した配線用ホースがコンクリート内に埋設した状態を示す斜視図である。
【図１１】（Ａ）はアウトレットボックスを表側より見た斜視図、（Ｂ）は裏側より見た斜視図である。
【符号の説明】
１              アウトレットボックス
４              配線用ホース
６              アウトレットボックスのビス挿通孔
８              鉄筋
８ａ            縦筋
８ｂ            横筋
１１            金具本体
１２            主体
１３            折曲部
１４            折曲片
１５            折曲片側のＶカット部（切欠部）
１６            ビスねじ込み孔
１７            主体側のＶカット部（切欠部）
１８            ビス挿通用スリット
１９            ビスねじ込み用スリット
２０            Ｖカット部
２１            主体の屈曲部
２２            ビス
２３            鉄線（固定手段）
２４            ビス
【図１】
2004187404.tif 000003
【図２】
2004187404.tif 000004
【図３】
2004187404.tif 000005
【図４】
2004187404.tif 000006
【図５】
2004187404.tif 000007
【図６】
2004187404.tif 000008
【図７】
2004187404.tif 000009
【図８】
2004187404.tif 000010
【図９】
2004187404.tif 000011
【図１０】
2004187404.tif 000012
【図１１】
2004187404.tif 000013